(57)【要約】【課題】引用関係にある文書の一方が修正されたときに、他方の文書に修正が反映されないことを抑制できる文書管理装置を提供する。【解決手段】文書管理装置は、引用関係がある第１の文書及び第２の文書それぞれの文書識別情報、並びに第１の文書において引用部分を特定する第１の位置情報を対応付けて記憶する引用履歴記憶部１２０と、第１の文書において引用部分が修正されたときに、第１の文書の文書識別情報及び第１の位置情報を取得する修正検出手段１４０と、引用履歴記憶手段１２０から、修正検出手段１４０が取得した第１の文書の文書識別情報及び第１の位置情報の組み合わせに対応する第２の文書の文書識別情報を読み出し、読み出した文書識別情報に基づいて第２の文書を特定する関連文書特定手段１５０を備える。【選択図】図１
2009223717.tif 000002
【特許請求の範囲】
【請求項１】
引用関係がある第１の文書及び第２の文書それぞれの文書識別情報、並びに前記第１の文書において引用部分を特定する第１の引用部分情報を対応付けて記憶する引用履歴記憶手段と、
前記第１の文書において前記引用部分が修正されたときに、前記第１の文書の前記文書識別情報及び前記第１の引用部分情報を取得する修正検出手段と、
前記引用履歴記憶手段から、前記修正検出手段が取得した前記第１の文書の前記文書識別情報及び前記第１の引用部分情報の組み合わせに対応する前記第２の文書の前記文書識別情報を読み出し、読み出した前記文書識別情報に基づいて前記第２の文書を特定する関連文書特定手段と、
を備える文書管理装置。
【請求項２】
請求項１に記載の文書管理装置において、
前記関連文書特定手段が読み出した前記第２の文書を表示する表示手段をさらに備え、
前記引用履歴記憶手段は、さらに前記第２の文書において前記引用部分を特定する第２の引用部分情報を前記第２の文書の前記文書識別情報に対応付けて記憶しており
前記関連文書特定手段は、前記第２の文書に含まれる前記引用部分を前記第２の引用部分情報に基づいて特定し、前記第２の文書を、前記引用部分が他の部分から識別できる状態で前記表示手段に表示させる文書管理装置。
【請求項３】
請求項１又は２に記載の文書管理装置において、
前記引用履歴記憶手段は、さらに前記第２の文書において前記引用部分を特定する第２の引用部分情報を前記第２の文書の前記文書識別情報に対応付けて記憶しており
前記修正検出手段は、前記第１の文書における修正後の前記引用部分を取得し、
前記関連文書特定手段は、前記第２の文書に含まれる前記引用部分を前記第２の引用部分情報に基づいて特定し、当該引用部分を、前記修正検出手段が取得した修正後の前記引用部分に置き換える文書管理装置。
【請求項４】
請求項１〜３のいずれか一つに記載の文書管理装置において、
前記第１の文書が更新されたときに、前記引用履歴記憶手段が記憶している前記第１の引用部分情報を更新する修正部を備える文書管理装置。
【請求項５】
請求項１〜４のいずれか一つに記載の文書管理装置において、
前記第１の引用部分情報は、前記第１の文書において前記引用部分が属する段落を特定する情報を少なくとも含む文書管理装置。
【請求項６】
引用関係がある第１の文書及び第２の文書それぞれの文書識別情報、並びに前記第１の文書において引用部分を特定する第１の引用部分情報を対応付けて、引用履歴記憶手段に記憶させておき、
前記第１の文書において前記引用部分が修正されたときに、前記第１の文書の前記文書識別情報及び前記第１の引用部分情報を取得するステップと、
前記引用履歴記憶手段から、前記修正検出手段が取得した前記第１の文書の前記文書識別情報及び前記第１の引用部分情報の組み合わせに対応する前記第２の文書の前記文書識別情報を読み出し、読み出した前記文書識別情報に基づいて前記第２の文書を特定するステップと、
を備える文書管理方法。
【請求項７】
コンピュータを、引用関係がある第１の文書及び第２の文書を管理する文書管理装置として機能させるプログラムであって、
前記コンピュータに、
前記第１の文書において引用部分が修正されたときに、前記第１の文書の文書識別情報及び前記第１の文書において前記引用部分を特定する第１の引用部分情報を取得する機能と、
前記第１の文書の前記文書識別情報、前記第２の文書の文書識別情報、及び前記第１の引用部分情報を対応付けて記憶する引用履歴記憶手段から、前記第１の文書の前記文書識別情報及び前記第１の引用部分情報の組み合わせに対応する前記第２の文書の前記文書識別情報を読み出す機能と、
読み出した前記第２の文書の前記文書識別情報を用いて、前記第２の文書を特定する機能と、
を実現させるプログラム。
【発明の詳細な説明】
【技術分野】
【０００１】
本発明は、引用関係がある文書を管理する文書管理装置、文書管理方法、及びプログラムに関する。
【背景技術】
【０００２】
互いに関連性のある複数の文書を作成するときに、第１の文書の特定部分と第２の文書の特定部分とが引用関係にあることがある。このように引用関係がある文書を管理する技術としては、特許文献１〜３に記載された技術がある。
【０００３】
特許文献１に記載の文書管理システムは、ユニークな識別子である文書ＩＤが付与された文書と、文書中にあらかじめ定義された範囲の文書片でありユニークな識別子である部分文書ＩＤが付与された部品文書とを管理する手段と、部分文書がある文書から他の文書へ引用された場合に、当該引用履歴を記録する手段と、文書間で部品文書のコピー・ペースト操作を許可し、それ以外の範囲の文書片のコピー・ペースト操作を禁止する手段とを備える。
【０００４】
特許文献２に記載の文書管理装置は、文書作成部と、文書作成部で作成した文書を保存する文書保存領域と、文書保存領域に保存する文書に文書番号を添付する文書番号添付部と、文書保存領域に保存されている文書を一覧表示する文書一覧表示部と、文書作成時に引用した文書の文書番号を取得する引用文書番号取得部と、作成した文書に引用した文書の文書番号を添付する引用文書番号添付部と、添付された引用文書番号に基づき引用側文書のアイコンと引用した文書のアイコンとを矢印または線で結び引用関係を一目で分かるように表示する引用履歴表示部とを備える。
【０００５】
特許文献３に記載の文書編集システムにおいて、構造化文書に一致または含まれる、少なくとも１つの要素からなる予め操作単位として定められた部分文書には、少なくとも当該部分文書が操作単位であることを表す情報が含まれている。文書編集システムは、この情報を基に、少なくとも当該部分文書と当該部分文書の位置情報とを含む部分文書毎の部品データを作成して、構造化文書を部品データの集合として記憶手段に記憶する。そして文書編集システムは、操作対象として選択された部分文書に対する操作内容に応じて、当該操作対象の部分文書に対応する部品データを更新することにより構造化文書を編集する。
【特許文献１】特開２００７−２９３６９８号公報
【特許文献２】特開２００４−１４５７４３号公報
【特許文献３】特開２００４−４６３５７号公報
【発明の開示】
【発明が解決しようとする課題】
【０００６】
しかし、上記した技術では、引用関係にある文書の一方が修正されたときに、他方の文書にその修正を反映させるためには、マニュアル操作で引用履歴を検索して他方の文書を特定する必要があった。このため、他方の文書に修正が反映されない可能性があった。
【０００７】
本発明は上記事情に鑑みてなされたものであり、その目的とするところは、引用関係にある文書の一方が修正されたときに、他方の文書に修正が反映されないことを抑制できる文書管理装置、文書管理方法、及びプログラムを提供することにある。
【課題を解決するための手段】
【０００８】
本発明によれば、引用関係がある第１の文書及び第２の文書それぞれの文書識別情報、並びに前記第１の文書において引用部分を特定する第１の引用部分情報を対応付けて記憶する引用履歴記憶手段と、
前記第１の文書において前記引用部分が修正されたときに、前記第１の文書の前記文書識別情報及び前記第１の引用部分情報を取得する修正検出手段と、
前記引用履歴記憶手段から、前記修正検出手段が取得した前記第１の文書の前記文書識別情報及び前記第１の引用部分情報の組み合わせに対応する前記第２の文書の前記文書識別情報を読み出し、読み出した前記文書識別情報に基づいて前記第２の文書を特定する関連文書特定手段と、
を備える文書管理装置が提供される。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、第１の文書が修正されたときに、引用関係がある第２の文書を確実に特定することができるため、第２の文書に修正が反映されないことを抑制できる。
【発明を実施するための最良の形態】
【００１１】
以下、本発明の実施の形態について、図面を用いて説明する。尚、すべての図面において、同様な構成要素には同様の符号を付し、適宜説明を省略する。
【００１２】
図１は、第１の実施の形態における文書管理装置の機能構成を示すブロック図である。この文書管理装置は、引用履歴記憶部１２０、修正検出部（修正部１４０）、及び関連文書特定部１５０を備える。引用履歴記憶部１２０は、引用関係がある第１の文書及び第２の文書それぞれの文書識別情報、並びに第１の文書において引用部分を特定する第１の引用部分情報を対応付けて記憶する。修正検出部（修正部１４０）は、第１の文書において引用部分が修正されたときに、第１の文書の文書識別情報及び第１の引用部分情報を取得する。関連文書特定部１５０は、引用履歴記憶部１２０から、修正検出部が取得した第１の文書の文書識別情報及び第１の引用部分情報の組み合わせに対応する第２の文書の文書識別情報を読み出し、読み出した文書識別情報に基づいて第２の文書を特定する。従って、第１の文書が修正されたときに、引用関係がある第２の文書を確実に特定することができるため、第２の文書に修正が反映されないことを抑制できる。以下、詳細に説明する。
【００１３】
図１に示す文書管理装置は、さらに文書記憶部１１０、入力部１３０、及び表示部１６０を備える。文書記憶部１１０は、複数の文書を互いに識別する文書識別情報（文書ＩＤ）に対応付けて記憶する。入力部１３０は、文書管理装置の操作者から文書管理装置に入力された情報を取得する。入力される情報には、少なくとも修正すべき文書の文書ＩＤ、及び修正データが含まれる。文書の修正データは、引用部分の修正データを含んでいるときもある。修正データは、修正部１４０に出力される。表示部１６０は、文書を表示して文書管理装置の操作者に認識させる。
【００１４】
また修正部１４０は、入力部１３０から入力された文書の修正データに基づいて文書を修正し、修正後の文書を表示部１６０に表示させ、かつ文書記憶部１１０に記憶させる。このとき修正部１４０は、修正された文書が、引用関係にある第１の文書であったときに、第１の引用部分情報を更新し、更新前後の第１の引用部分情報それぞれを引用履歴記憶部１２０に記憶させる。
【００１５】
また引用履歴記憶部１２０は、第２の文書において引用部分を特定する第２の引用部分情報を第２の文書の文書識別情報に対応付けて記憶している。そして関連文書特定部１５０は、特定した第２の文書に含まれる引用部分を第２の引用部分情報に基づいて特定し、第２の文書を、引用部分が他の部分から識別できる状態で表示部１６０に表示させる。さらに関連文書特定部１５０は、必要に応じて、第２の文書に含まれる引用部分を、修正部１４０が取得した修正後の引用部分に置き換える
【００１６】
図２は、文書記憶部１１０が記憶しているデータをテーブル形式で示す図である。文書記憶部１１０は、文書を相互に識別する文書ＩＤ、その文書が関連する引用情報を特定する引用ＩＤ、及び文書を示す文書データを記憶している。引用情報には、第１及び第２の引用部分情報の一例である第１及び第２の位置情報が含まれる。引用情報は、引用ＩＤに対応付けて引用履歴記憶部１２０に記憶されている。文書記憶部１１０は、最初に記憶した文書データを、記憶した日時に対応付けて記憶している。また文書記憶部１１０は、文書データが更新されたとき、更新前後の差分を示す差分データを更新日時に対応付けて記憶している。
【００１７】
図３は、引用履歴記憶部１２０が記憶している引用情報をテーブル形式で示す図である。引用履歴記憶部１２０は、引用関係を示す引用情報として、引用情報を相互に識別する引用ＩＤ、第１の文書の文書ＩＤ、第２の文書の文書ＩＤ、第１の文書において引用部分の位置を示す第１の位置情報、及び第２の文書において引用部分の位置を示す第２の位置情報を記憶している。本図に示す例において、第１及び第２の位置情報は、例えば引用部分が属する章、及びその章において引用部分が属する段落それぞれを示す情報を含む。なお、第１及び第２の位置情報は、文章全体において段落の通し番号を各段落に振ったときの、引用部分が属する段落の通し番号を含んでいてもよい。また第１及び第２の位置情報は、さらに段落中において引用部分を特定する文番号を記憶していてもよい。なお、同一の文書内で引用が行われたとき、第１の文書の文書ＩＤと第２の文書の文書ＩＤは同一になる。
【００１８】
第１の文書及び第２の文書のいずれかが修正されたとき、修正された文書における引用部分の位置は修正前と比較して変化する。そこで引用履歴記憶部１２０は、第１の文書及び第２の文書のいずれかが修正されるたびに、修正後の第１及び第２の位置情報の組み合わせを、修正日時を特定する情報に対応付けて追加記憶している。ここでの修正には、第１の文書又は第２の文書において引用部分を削除することも含まれるが、この場合、引用履歴記憶部１２０は、引用部分が削除されたことを示す情報を、第１又は第２の位置情報として記憶する。
【００１９】
なお、引用履歴記憶部１２０が記憶している情報は、本実施形態では修正部１４０及び関連文書特定部１５０が生成する。例えば修正部１４０は、例えば第１の文書から第２の文書にコピー及びペーストが行われたとき、第１の文書におけるコピー元の位置情報及び第２の文書におけるペースト先の位置情報をそれぞれ検出し、これら位置情報を、第１の位置情報及び第２の位置情報として日時を特定する情報と共に引用履歴記憶部１２０に記憶させる。このとき修正部１４０は、引用ＩＤを生成して引用履歴記憶部１２０に記憶させる。
【００２０】
また修正部１４０は、入力部１３０から入力された修正データが第１の文書又は第２の文書が修正されたことを示すときに、修正後の第１の位置情報及び第２の位置情報を生成して、修正後の第１及び第２の位置情報の組み合わせを、修正日時を特定する情報に対応付けて引用履歴記憶部１２０に追加記憶させる。
【００２１】
なお、関連文書特定部１５０が引用履歴記憶部１２０に情報を記憶させる処理については、フローチャートを用いて後述する。
【００２２】
また修正部１４０は、入力部１３０から入力される情報に従って、既に文書記憶部１１０に記憶されている文書を上書きすることにより、新たな文書を生成して文書記憶部１１０に記憶させることがある。このとき、修正部１４０は、上書き前の文書を第１の文書として、上書き後の文書を第２の文書としてもよい。この場合、修正部１４０は、これらの文書間の引用情報を生成して引用履歴記憶部１２０に記憶させる。そして引用情報は、第２の文書において修正が入っていない部分を示す情報になる。上書き後の文書は、例えば他人がチェックして修正した後の文書である。
【００２３】
図４は、図１に示した文書管理装置の動作の一例を示すフローチャートである。文書管理装置の操作者は、入力部１３０に修正したい文書の文書ＩＤを入力する。入力部１３０は、入力された文書ＩＤを修正部１４０に出力する。修正部１４０は、入力された文書ＩＤに対応する文書を文書記憶部１１０から読み出す（Ｓ１０）。文書記憶部１１０が文書データと差分データの双方を記憶しているとき、修正部１４０は、文書データと差分データの双方を読み出して最新の文書を生成する。そして修正部１４０は、最新の文書を表示部１６０に表示させる。
【００２４】
文書管理装置の操作者は、表示部１６０に表示された文書を見ながら、入力部１３０に文書の修正データを入力する。入力部１３０は修正データを修正部１４０に出力する。修正部１４０は、入力された修正データに基づいて修正前の文書と修正後の文書の差分データを生成する（Ｓ２０）。差分データには、修正前の文書において修正が行われた箇所を示す修正位置情報が含まれる。修正位置情報のデータ構造は、図３に示した位置情報のデータ構造と同じである。
【００２５】
そして文書管理装置の操作者は、修正した部分を引用関係にある他の文書へ反映させる旨を示す情報を、入力部１３０に入力する。この入力は、例えば表示部１６０に表示されたボタンをクリックすることにより行われる（Ｓ２５：Ｙｅｓ）。入力部１３０は、入力された情報を修正部１４０に出力する。次いで修正部１４０は、生成してある差分データ及び修正中の文書の文書ＩＤを関連文書特定部１５０に出力する。関連文書特定部１５０は、入力された差分データから修正位置情報を取り出し、この修正位置情報及び修正中の文書の文書ＩＤの組み合わせに対応する引用情報を、引用履歴記憶部１２０から読み出す（Ｓ４０：Ｙｅｓ）。このとき関連文書特定部１５０は、まず文書記憶部１１０から、修正中の文書の文書ＩＤに対応する引用ＩＤを読み出してもよい。この場合、関連文書特定部１５０は、読み出した引用ＩＤに対応する引用情報のうち修正位置情報及び修正中の文書の文書ＩＤの組み合わせを含む引用情報を特定して、引用履歴記憶部１２０から読み出す。
【００２６】
そして関連文書特定部１５０は、読み出した引用情報に含まれている文書ＩＤを用いて、修正部分を引用部分として含む文書を特定する（Ｓ４５）。特定した文書が未だ読み出されていないとき、関連文書特定部１５０は、特定した文書を文書記憶部１１０から読み出す。ここで文書記憶部１１０が文書データと差分データの双方を記憶しているとき、関連文書特定部１５０は、文書データと差分データの双方を読み出して最新の文書を生成する。
【００２７】
関連文書特定部１５０は、読み出した引用情報に含まれる最新の位置情報を用いて、Ｓ４５で特定した文書における引用部分を特定する（Ｓ５０）。最新の位置情報が、引用部分が削除されていることを示している場合、関連文書特定部１５０は、一つ前の位置情報を読み出し、この位置情報が示す部分を特定する。そして関連文書特定部１５０は、Ｓ５０で特定した部分が他の部分から識別できる状態で、Ｓ４５で特定した文書を表示部１６０に表示させる（Ｓ６０）。このとき関連文書特定部１５０及び修正部１４０は、修正部１４０が修正した文書と関連文書特定部１５０が特定した文書とを並んで表示させてもよい。また関連文書特定部１５０は、Ｓ４５で特定した文書において、修正内容がわかるように引用部分を表示させてもよい。
【００２８】
文書管理装置の操作者は、表示部１６０の表示をみて、Ｓ２０で入力した修正内容を、関連文書特定部１５０が特定した文書に反映させるか否か、判断し、判断結果を示す情報を入力部１３０に入力する（Ｓ７０）。入力された情報は、関連文書特定部１５０に出力される。
【００２９】
入力された情報が修正内容を反映させることを示していたとき（Ｓ７０：Ｙｅｓ）、関連文書特定部１５０は、修正部１４０から入力された差分データに基づいて、Ｓ４５で特定した文書の引用部分を修正し、修正前後の差分データを生成する（Ｓ８０）。この修正は、例えば引用部分を置き換える処理になる。そして関連文書特定部１５０は、修正後の文書を表示部１６０に表示させて、文書管理装置の操作者に認識させる（Ｓ９０）。
【００３０】
ついで関連文書特定部１５０は、引用履歴記憶部１２０が記憶している引用情報のうち、Ｓ８０において差分データを生成した文書の文書ＩＤを含むすべての引用情報を特定する。ついで関連文書特定部１５０は、特定した引用情報それぞれにおいて、Ｓ８０において差分データを生成した文書の文書ＩＤに対応する位置情報を、差分データに基づいて修正する。そして関連文書特定部１５０は、特定した引用情報それぞれにおいて、修正後の位置情報と、引用関係にある他方の文書における位置情報との組み合わせを、修正日時を特定する情報に対応付けて引用履歴記憶部１２０に追加記憶させる（Ｓ１００）。
【００３１】
また修正部１４０は、引用履歴記憶部１２０が記憶している引用情報のうち、Ｓ２０において差分データを生成した文書の文書ＩＤを含むすべての引用情報を特定する。ついで修正部１４０は、特定した引用情報それぞれにおいて、Ｓ２０において差分データを生成した文書の文書ＩＤに対応する位置情報を、差分データに基づいて修正する。そして修正部１４０は、特定した引用情報それぞれにおいて、修正後の位置情報と、引用関係にある他方の文書における位置情報との組み合わせを、修正日時を特定する情報に対応付けて引用履歴記憶部１２０に追加記憶させる（Ｓ１００）。
【００３２】
このように、修正部１４０及び関連文書特定部１５０は、文書が修正されたとき、修正前後の差分データに基づいて、引用部分を示す位置情報を、修正後の文書における位置情報に更新する。従って、操作者が文書の修正を行っても、引用履歴記憶部１２０が記憶している引用情報は、文書間の引用関係を正確に示す。
【００３３】
そして関連文書特定部１５０は、Ｓ８０において生成した差分データを文書記憶部１１０に記憶させることにより、文書記憶部１１０が記憶している文書を更新する。また修正部１４０は、Ｓ２０において生成した差分データを、Ｓ１０で取得した文書ＩＤに対応付けて文書記憶部１１０に記憶させることにより、文書記憶部１１０が記憶している文書を更新する（Ｓ１１０）。
【００３４】
なお、Ｓ４０において対応する引用情報がない場合（Ｓ４０：Ｎｏ）、及びＳ７０において入力された情報が、修正内容を反映させない旨を示していた場合（Ｓ７０：Ｎｏ）、修正部１４０は、Ｓ１００で説明した処理を行い、引用履歴記憶部１２０に位置情報を追加記憶させる。そして修正部１４０は、Ｓ１１０で説明した処理を行い、文書記憶部１１０を更新する。
【００３５】
なお、図１に示した文書管理装置の各構成要素は、ハードウエア単位の構成ではなく、機能単位のブロックを示している。文書管理装置の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例があることは、当業者には理解されるところである。
【００３６】
以上、第１の実施形態によれば、引用履歴記憶部１２０は、文書間の引用関係を示す引用情報を記憶している。そして関連文書特定部１５０は、修正部１４０が文書の修正内容を示す差分データを生成したときに、修正した文書と引用関係がある文書を特定する。従って、ある文書が修正されたときに、引用関係がある他の文書を確実に特定することができるため、他の文書に修正が反映されないことを抑制できる。
【００３７】
また、関連文書特定部１５０は、引用関係があると特定した文書を、引用部分が他の部分から識別できる状態で表示部１６０に表示させる。このため、文書管理装置の操作者は、引用部分を確実に認識できる。また関連文書特定部１５０は、修正部１４０から入力された差分データに基づいて、特定した文書の引用部分を修正し、修正前後の差分データを生成する。このため、特定した文書に修正内容を確実に反映させることができる。
【００３８】
図５は、第２の実施形態にかかる文書管理システムの機能構成を説明するためのブロック図である。本図に示す文書管理システムは、複数の端末２００と文書管理装置３００を通信ネットワーク２２０で接続した構成を有している。文書管理装置３００の機能構成は、入力部１３０及び表示部１６０がない点を除いて、第１の実施形態の図１に示した文書管理装置と同様の構成である。そして端末２００は、第１の実施形態の図１に示した入力部１３０及び表示部１６０と同様の機能を有する。端末２００に入力された情報は、通信ネットワーク２２０を介して文書管理装置３００に送信され、また文書管理装置３００が読み出した文書等は、通信ネットワーク２２０を介して端末２００に送信される。以下、第１の実施形態と同様の構成については同一の符号を付して、説明を省略する。また、本実施形態における文書管理システムが行う処理は、第１の実施形態において図４を用いて説明した処理と同様であるため、説明を省略する。
【００３９】
第２の実施形態によれば、第１の実施形態と同様の効果を得ることができる。また、複数の端末２００が文書管理装置３００に接続しているため、同時に複数の人が文書を修正することができる。
【００４０】
以上、図面を参照して本発明の実施形態について述べたが、これらは本発明の例示であり、上記以外の様々な構成を採用することもできる。例えば上記した各実施形態において、図４のＳ７０を用いて説明した処理を省略してもよい。この場合、文書管理装置の関連文書特定部１５０は、読み出した文書に修正内容を自動で反映させる。
【図面の簡単な説明】
【００４１】
【図１】第１の実施の形態における文書管理装置の機能構成を示すブロック図である。
【図２】文書記憶部が記憶しているデータをテーブル形式で示す図である。
【図３】引用履歴記憶部が記憶している引用情報をテーブル形式で示す図である。
【図４】図１に示した文書管理装置の動作の一例を示すフローチャートである。
【図５】第２の実施形態にかかる文書管理システムの機能構成を説明するためのブロック図である。
【符号の説明】
【００４２】
１１０ 文書記憶部
１２０ 引用履歴記憶部
１３０ 入力部
１４０ 修正部
１５０ 関連文書特定部
１６０ 表示部
２００ 端末
２２０ 通信ネットワーク
３００ 文書管理装置
【図１】
2009223717.tif 000003
【図２】
2009223717.tif 000004
【図３】
2009223717.tif 000005
【図４】
2009223717.tif 000006
【図５】
2009223717.tif 000007